(57)【要約】【課題】記録媒体の空き容量が不足している場合に、ユーザが容易に削除すべき番組を判断することができるよう、空き容量を確保するために削除すべき番組候補を検索する情報検索装置およびそれを備えた記録再生装置を提供する。【解決手段】情報検索装置２０は、画像音声データ１０および管理データ１１をそれぞれ含む複数の画像音声情報が記録された記録媒体９から、管理データ１１の少なくとも一部を取得して保持する管理データ保持部２と、記録媒体９における記録可能な空き容量を取得する空き容量取得部３と、記録媒体に記録すべき画像音声情報が必要とする必要容量を入力する必要容量入力部５と、複数の画像音声情報のうちから削除または圧縮すべきものを検索するための検索条件を設定する検索条件設定部４と、記録媒体９に必要容量を確保することができるよう、空き容量、検索条件および画像音声情報の管理データ１１に基づいて、複数の画像音声情報から削除または圧縮すべき画像音声情報候補あるいはその組み合わせを求める検索処理部６とを備える。【選択図】  図１
2004328608.tif 000002
【特許請求の範囲】
【請求項１】
画像音声データおよび管理データをそれぞれ含む複数の画像音声情報が記録された記録媒体から、前記管理データの少なくとも一部を取得して保持する管理データ保持部と、
前記記録媒体における記録可能な空き容量を取得する空き容量取得部と、
前記記録媒体に記録すべき画像音声情報が必要とする必要容量を入力する必要容量入力部と、
前記複数の画像音声情報のうちから削除または圧縮すべきものを検索するための検索条件を設定する検索条件設定部と、
前記記録媒体に前記必要容量を確保することができるよう、前記空き容量、前記検索条件および前記画像音声情報の管理データに基づいて、前記複数の画像音声情報から削除または圧縮すべき画像音声情報候補あるいはその組み合わせを求める検索処理部と、
を備える情報検索装置。
【請求項２】
前記検索処理部は、前記必要容量が前記空き容量よりも大きい場合、前記検索条件を満たすひとつ以上の画像音声情報であって、その容量と前記記録媒体の空き容量との和が前記必要容量以上となるひとつ以上の画像音声情報候補を求める請求項１に記載の情報検索装置。
【請求項３】
前記検索処理部は、前記必要容量が前記空き容量よりも大きい場合、前記検索条件を満たすひとつ以上の画像音声情報候補であって、その画像音声情報を圧縮した場合に生じる空き容量と、前記記録媒体の空き容量との和が前記必要容量以上となるひとつ以上の画像音声情報候補を求める請求項１に記載の情報検索装置。
【請求項４】
前記画像音声情報候補の管理データの少なくとも一部を表示する表示部とをさらに備える請求項１から３のいずれかに記載の情報検索装置。
【請求項５】
前記画像音声情報候補の少なくとも１つを選択する指令を受け取り、選択された画像音声情報候補を削除または圧縮するよう前記記録媒体を制御する制御部とをさらに備える請求項４に記載の情報検索装置。
【請求項６】
前記画像音声情報は放送番組であって、前記管理データは前記放送番組の種類を特定する番組種別データを含み、前記検索条件は、番組種別データを特定する請求項１から５のいずれかに記載の情報検索装置。
【請求項７】
前記管理データは、その画像音声情報が連続番組かどうかを特定する連続番組データを含み、前記検索条件は、連続番組データを特定するデータを保持している請求項１から６のいずれかに記載の情報検索装置。
【請求項８】
前記管理データは、その画像音声情報が視聴されたかどうかを特定する視聴状態データを含み、前記検索条件は、前記視聴状態データを特定するデータを保持している請求項１から７のいずれかに記載の情報検索装置。
【請求項９】
前記画像音声情報は放送番組であって、前記必要容量入力部は、前記記録媒体に放送番組を予約記録する記録再生部に設定された予約時刻および記録モードに関するデータに基づいて前記必要容量を取得する請求項１から８のいずれかに記載の情報検索装置。
【請求項１０】
前記必要容量入力部は前記記録媒体に記録すべき画像音声情報の記録時間および記録モードに関するデータを取得する請求項１から８のいずれかに記載の情報検索装置。
【請求項１１】
記録媒体に画像音声情報を記録し、前記記録媒体に記録された画像音声情報を再生する記録再生部と、
請求項１から１０のいずれかに記載の情報検索装置と、
を備える記録再生装置。
【請求項１２】
放送番組を受信するチューナをさらに備える請求項１１に記載の記録再生装置。
【請求項１３】
画像音声データおよび管理データをそれぞれ含む複数の画像音声情報が記録された記録媒体から、前記管理データの少なくとも一部を取得して保持するステップ（Ａ）と、
前記管理データに基づいて、前記記録媒体における記録可能な空き容量を取得するステップ（Ｂ）と、
前記記録媒体に記録すべき画像音声情報が必要とする必要容量を入力するステップ（Ｃ）と、
前記複数の画像音声情報のうちから削除または圧縮すべきものを検索するため検索条件を設定するステップ（Ｄ）と、
前記記録媒体に前記必要容量を確保することができるよう、前記空き容量、前記検索条件および前記画像音声情報の管理データに基づいて、前記複数の画像音声情報から削除または圧縮すべき画像音声情報候補あるいはその組み合わせを求めるステップ（Ｅ）と、
を包含する記録媒体に記録された画像音声情報の検索方法。
【請求項１４】
前記ステップ（Ｅ）は、前記必要容量が前記空き容量よりも大きい場合、前記検索条件を満たすひとつ以上の画像音声情報候補であって、その容量と前記記録媒体の空き容量との和が前記必要容量以上となるひとつ以上の画像音声情報候補を求める請求項１３に記載の画像音声情報の検索方法。
【請求項１５】
前記ステップ（Ｅ）は、前記必要容量が前記空き容量よりも大きい場合、前記検索条件を満たすひとつ以上の画像音声情報候補であって、その画像音声情報を圧縮した場合に生じる空き容量と、前記記録媒体の空き容量との和が前記必要容量以上となるひとつ以上の画像音声情報候補を求める請求項１３に記載の画像音声情報の検索方法。
【請求項１６】
前記画像音声情報候補の管理データの少なくとも一部を表示するステップ（Ｆ）をさらに包含する請求項１３から１５のいずれかに記載の画像音声情報の検索方法。
【請求項１７】
前記画像音声情報候補の少なくともひとつを選択する指令を受け取るステップ（Ｇ）と、選択された画像音声情報候補を削除または圧縮するよう前記記録媒体を制御するステップ（Ｈ）とをさらに包含する請求項１６に記載の画像音声情報の検索方法。
【請求項１８】
前記画像音声情報は放送番組であって、前記管理データは前記放送番組の種類を特定する番組種別データを含み、前記検索条件は、番組種別データを特定する請求項１３から１７のいずれかに記載の画像音声情報の検索方法。
【請求項１９】
前記管理データは、その画像音声情報が連続番組かどうかを特定する連続番組データを含み、前記検索条件は、連続番組データを特定するデータを保持している請求項１３か１８のいずれかに記載の画像音声情報の検索方法。
【請求項２０】
前記管理データは、その画像音声情報が視聴されたかどうかを特定する視聴状態データを含み、前記検索条件は、前記視聴状態データを特定するデータを保持している請求項１３から１９のいずれかに記載の画像音声情報の検索方法。
【請求項２１】
前記画像音声情報は放送番組であって、前記必要容量入力部は、前記記録媒体に放送番組を予約記録する記録再生部に設定された予約時刻および記録モードに関するデータに基づいて前記必要容量を決定する請求項１３から２０のいずれかに記載の画像音声情報の検索方法。
【請求項２２】
前記必要容量入力部は前記記録媒体に記録すべき画像音声情報の記録時間および記録モードに関するデータを受け取る請求項１３から２０のいずれかに記載の画像音声情報の検索方法。
【請求項２３】
請求項１３から２２のいずれかの画像音声情報の検索方法に記載された各ステップをコンピュータに実行させるためのプログラム。
【請求項２４】
請求項１３から２２のいずれかの画像音声情報の検索方法に記載された各ステップをコンピュータに実行させるためのプログラムを記録したコンピュータ読み取り可能な記録媒体。
【発明の詳細な説明】
【０００１】
【発明の属する技術分野】
本発明は記録再生装置の記録媒体に記録された複数の画像音声情報から所定条件を満たすひとつ以上の画像音声情報を検索する情報検索装置に関する。特に記録媒体に十分な空き容量がない場合において、新たな画像音声情報を記録目的で空き容量を確保するために削除または圧縮する画像音声情報を検索する情報検索装置および記録再生装置に関する。
【０００２】
【従来の技術】
近年、光ディスクであるＤＶＤ（Ｄｉｇｉｔａｌ  Ｖｅｒｓａｔｉｌｅ  Ｄｉｓｃ）やハードディスクなどの大容量記録媒体を用いた記録再生装置（レコーダ）が普及してきている。こうしたＤＶＤレコーダやハードディスクレコーダの多くは、ＭＰＥＧ（Ｍｏｖｉｎｇ  Ｐｉｃｔｕｒｅ  Ｅｘｐｅｒｔｓ  Ｇｒｏｕｐ）の動画像符号化方式による符号化（圧縮）および複号化（解凍）機能を内蔵しており、アナログ放送の番組をデジタル信号により記録することが可能である。ＭＰＥＧ方式によるデータの符号化は圧縮率が高く、画像の劣化も少ないため、情報量の多い画像を効率よく圧縮し、ＤＶＤやハードディスクにテレビ放送の番組を長時間録画するのに適している。画質は多少、低下するものの圧縮率を上げれば、情報量を小さくすることができるため、より多くの番組を記録することも可能である。
【０００３】
また、従来のＶＨＳ方式などのビデオカセットレコーダがビデオテープに記録された番組をランダムにアクセスするのに適していないのに対して、円盤型の記録媒体であるＤＶＤやハードディスクを用いるレコーダは、記録された番組などの画像音声情報をランダムにアクセスするのに適している。特に、ＤＶＤ−ＲＡＭを使用するＤＶＤレコーダは、ランダムアクセスをするのに適した記録方式を採用している。
【０００４】
【特許文献１】
特開２０００−２１１３６号公報
【特許文献２】
特開２００１−２８３５０１号公報
【０００５】
【発明が解決しようとする課題】
こうしたレコーダでは、一般に放送番組などを新しく記録する場合、記録媒体の既に情報が記録された領域を新しい情報で上書きしないように制御される。このため、容量いっぱいに放送番組などが記録された記録媒体に放送番組などを新しく記録する場合、記録媒体に記録可能な領域を確保する必要がある。具体的には、ユーザが記録したい番組の番組長（記録時間）から記録に必要な容量を見積もり、記録媒体に記録されている多数の番組の中から削除あるいは消去してもよい番組をひとつ以上見つけ出す。そして、見つけた番組を削除あるいは消去することにより、記録したい番組の記録を開始することが可能となる。
【０００６】
記録媒体の空き容量が少なくなってきた場合、従来のレコーダによれば、新たに放送番組を記録するたびにこのような作業を行う必要がある。また、ＤＶＤやハードディスクなどの記録媒体の容量が年々大きくなってきているため、一枚のＤＶＤや１個のハードディスクに記録し得る放送番組の数も増大してきている。このように既に記録された多くの番組の中から、削除することにより生じる空き容量と、保存しておくべきかどうかという重要性とを考慮して削除する番組を選択することは、面倒である。
【０００７】
このような問題を解決するために、特許文献１は記録された放送番組などの情報の重要度に基づいて記録媒体から削除する対象となる情報を決定する手段を備えた記録再生装置を開示している。しかしながらこの記録再生装置によれば、番組などの情報を記録する際、その情報の重要度をあらかじめ設定する必要がある。また、この記録再生装置によれば、放送番組は１つずつ消去される。したがって、記録すべき放送番組が長い場合には、複数の放送番組を逐次削除または消去する必要がある。
【０００８】
特許文献２は、記録媒体に記録された放送番組中のＣＭなど所定の条件を満たす情報を一括して削除または再生時に表示しないよう無効化する装置を開示している。しかし、この装置は、不要な情報を一括して削除あるいは無効化することのみを目的としているため、削除によってどの程度記録媒体に空き容量が生じるかなどを求めることができない。したがって、上述の問題を解決することはできない。
【０００９】
本発明は、このような問題を解決するためになされたものであって、その目的は、記録媒体の空き容量が不足している場合に、ユーザが容易に削除すべき番組を判断することができるよう、空き容量を確保するために削除すべき番組候補を検索する情報検索装置、それを備えた記録再生装置および情報検索方法を提供することにある。
【００１０】
【課題を解決するための手段】
本発明の情報検索装置は、画像音声データおよび管理データをそれぞれ含む複数の画像音声情報が記録された記録媒体から、前記管理データの少なくとも一部を取得して保持する管理データ保持部と、前記記録媒体における記録可能な空き容量を取得する空き容量取得部と、前記記録媒体に記録すべき画像音声情報が必要とする必要容量を入力する必要容量入力部と、前記複数の画像音声情報のうちから削除または圧縮すべきものを検索するための検索条件を設定する検索条件設定部と、前記記録媒体に前記必要容量を確保することができるよう、前記空き容量、前記検索条件および前記画像音声情報の管理データに基づいて、前記複数の画像音声情報から削除または圧縮すべき画像音声情報候補あるいはその組み合わせを求める検索処理部とを備える。
【００１１】
ある好ましい実施形態において、前記検索処理部は、前記必要容量が前記空き容量よりも大きい場合、前記検索条件を満たすひとつ以上の画像音声情報であって、その容量と前記記録媒体の空き容量との和が前記必要容量以上となるひとつ以上の画像音声情報候補を求める。
【００１２】
ある好ましい実施形態において、前記検索処理部は、前記必要容量が前記空き容量よりも大きい場合、前記検索条件を満たすひとつ以上の画像音声情報候補であって、その画像音声情報を圧縮した場合に生じる空き容量と、前記記録媒体の空き容量との和が前記必要容量以上となるひとつ以上の画像音声情報候補を求める。
【００１３】
ある好ましい実施形態において、情報検索装置は、前記画像音声情報候補の管理データの少なくとも一部を表示する表示部とをさらに備える。
【００１４】
ある好ましい実施形態において、情報検索装置は、前記画像音声情報候補の少なくとも１つを選択する指令を受け取り、選択された画像音声情報候補を削除または圧縮するよう前記記録媒体を制御する制御部とをさらに備える。
【００１５】
ある好ましい実施形態において、前記画像音声情報は放送番組であって、前記管理データは前記放送番組の種類を特定する番組種別データを含み、前記検索条件は、番組種別データを特定する。
【００１６】
ある好ましい実施形態において、前記管理データは、その画像音声情報が連続番組かどうかを特定する連続番組データを含み、前記検索条件は、連続番組データを特定するデータを保持している。
【００１７】
ある好ましい実施形態において、前記管理データは、その画像音声情報が視聴されたかどうかを特定する視聴状態データを含み、前記検索条件は、前記視聴状態データを特定するデータを保持している。
【００１８】
ある好ましい実施形態において、前記画像音声情報は放送番組であって、前記必要容量入力部は、前記記録媒体に放送番組を予約記録する記録再生部に設定された予約時刻および記録モードに関するデータに基づいて前記必要容量を取得する。
【００１９】
ある好ましい実施形態において、前記必要容量入力部は、前記記録媒体に記録すべき画像音声情報の記録時間および記録モードに関するデータを取得する。
【００２０】
また、本発明の記録再生装置は、記録媒体に画像音声情報を記録し、前記記録媒体に記録された画像音声情報を再生する記録再生部と、上記いずれかに記載の情報検索装置とを備える。
【００２１】
ある好ましい実施形態において、記録再生装置は、放送番組を受信するチューナをさらに備える。
【００２２】
また、本発明の画像音声情報の検索方法は、画像音声データおよび管理データをそれぞれ含む複数の画像音声情報が記録された記録媒体から、前記管理データの少なくとも一部を取得して保持するステップ（Ａ）と、前記管理データに基づいて、前記記録媒体における記録可能な空き容量を取得するステップ（Ｂ）と、前記記録媒体に記録すべき画像音声情報が必要とする必要容量を入力するステップ（Ｃ）と、前記複数の画像音声情報のうちから削除または圧縮すべきものを検索するため検索条件を設定するステップ（Ｄ）と、前記記録媒体に前記必要容量を確保することができるよう、前記空き容量、前記検索条件および前記画像音声情報の管理データに基づいて、前記複数の画像音声情報から削除または圧縮すべき画像音声情報候補あるいはその組み合わせを求めるステップ（Ｅ）とを包含する。
【００２３】
ある好ましい実施形態において、前記ステップ（Ｅ）は、前記必要容量が前記空き容量よりも大きい場合、前記検索条件を満たすひとつ以上の画像音声情報候補であって、その容量と前記記録媒体の空き容量との和が前記必要容量以上となるひとつ以上の画像音声情報候補を求める。
【００２４】
ある好ましい実施形態において、前記ステップ（Ｅ）は、前記必要容量が前記空き容量よりも大きい場合、前記検索条件を満たすひとつ以上の画像音声情報候補であって、その画像音声情報を圧縮した場合に生じる空き容量と、前記記録媒体の空き容量との和が前記必要容量以上となるひとつ以上の画像音声情報候補を求める。
【００２５】
ある好ましい実施形態において、画像音声情報の検索方法は、前記画像音声情報候補の管理データの少なくとも一部を表示するステップ（Ｆ）をさらに包含する。
【００２６】
ある好ましい実施形態において、画像音声情報の検索方法は、前記画像音声情報候補の少なくともひとつを選択する指令を受け取るステップ（Ｇ）と、選択された画像音声情報候補を削除または圧縮するよう前記記録媒体を制御するステップ（Ｈ）とをさらに包含する。
【００２７】
ある好ましい実施形態において、前記画像音声情報は放送番組であって、前記管理データは前記放送番組の種類を特定する番組種別データを含み、前記検索条件は、番組種別データを特定する。
【００２８】
ある好ましい実施形態において、前記管理データは、その画像音声情報が連続番組かどうかを特定する連続番組データを含み、前記検索条件は、連続番組データを特定するデータを保持している。
【００２９】
ある好ましい実施形態において、前記管理データは、その画像音声情報が視聴されたかどうかを特定する視聴状態データを含み、前記検索条件は、前記視聴状態データを特定するデータを保持している。
【００３０】
ある好ましい実施形態において、前記画像音声情報は放送番組であって、前記必要容量入力部は、前記記録媒体に放送番組を予約記録する記録再生部に設定された予約時刻および記録モードに関するデータに基づいて前記必要容量を決定する。
【００３１】
ある好ましい実施形態において、前記必要容量入力部は前記記録媒体に記録すべき画像音声情報の記録時間および記録モードに関するデータを受け取る。
【００３２】
また、本発明は、上記いずれかの画像音声情報の検索方法に記載された各ステップをコンピュータに実行させるためのプログラムである。
【００３３】
また、本発明は、上記いずれかの画像音声情報の検索方法に記載された各ステップをコンピュータに実行させるためのプログラムを記録したコンピュータ読み取り可能な記録媒体である。
【００３４】
【発明の実施の形態】
以下本発明の情報検索装置を含む記録再生装置の実施形態を説明する。
【００３５】
図１は、記録再生装置２０の構成を示すブロック図である。記録再生装置２０は、情報検索装置１と、記録再生部１２と、チューナ１４と、これらを制御するＣＰＵ１７とを備えている。記録再生部１２は、書き換え可能な記録媒体９に放送番組などの画像音声情報を記録し、記録媒体９に記録された画像音声情報を再生することができる。本実施形態において記録再生部１２は、ＤＶＤ−ＲＡＭディスクを記録媒体９とするＤＶＤレコーダにより構成されている。記録再生部１２は、光ディスクや光磁気ディスクを記録媒体とする他の光学的記録再生装置であってもよいし、ハードディスクドライブ（ＨＤＤ）であってもよい。また、ＤＶＤレコーダや他の光学的記録再生装置とＨＤＤとの両方を備えた記録再生部１２であってもよい。
【００３６】
本実施形態では、放送番組を記録する記録再生装置を説明するが、記録再生装置に記録されている画像音声情報は放送番組以外の画像音声情報や音楽情報であってもよい。また、記録再生装置は、ビデオカメラ、デジタルカメラ、撮像素子とメモリなどの記録媒体を備えた携帯電話やＰＤＡ（Ｐｅｒｓｏｎａｌ  Ｄｉｇｉｔａｌ  Ａｓｓｉｓｔａｎｃｅ）などであってもよいし、音楽情報のみを記録することが可能なオーディオレコーダ（メモリープレーヤー）などであってもよい。記録再生装置がデジタルカメラやオーディオレコーダである場合には、画像音声データは、静止画像および音声データのみを含んでいてもかまわない。
【００３７】
チューナ１４は、アンテナ１３を介してテレビ放送信号を受信し、所望のチャンネルの信号を選局する。テレビ放送がアナログ放送である場合には、チューナ１４はＡ／Ｄコンバータを含み、選局したチャネルのテレビ放送局のアナログ信号をデジタル信号に変換する。テレビ放送がデジタル放送である場合には、トランスポートデコーダを含み、選局したチャネルのデジタル信号から、所望の放送局およびサービスの信号を抽出する。
【００３８】
チューナ１４から出力される信号は所望の放送番組である画像音声情報を含んでいる。画像音声情報は、画像音声データ１０と管理データ１１とを含んでいる。画像音声データ１０は、本実施形態では映像・音声データである。一方、管理データ１１は、放送番組の管理情報を含んでいる。具体的には、その放送番組の放送日データ、放送開始時刻データ、放送時間データ（あるいは記録再生部１２に記録される記録日データ、記録開始時刻データ、記録時間データ）、放送局を区別するチャネルなどの情報を示すチャネルデータ、記録モードデータ（記録画像の圧縮率）、番組のタイトルデータ、番組種別データ（スポーツ番組、ドラマ、映画、コメディーかなどの区別）、連続番組かどうかを区別する連続番組データ、記録した番組を視聴したかどうかを示す視聴状態データなどが管理情報に含まれる。これらの情報は、たとえば、デジタル放送である場合には、画像音声データ１０と同時に放送局から放送される電子番組ガイド（ＥＰＧ）に含まれるものを利用することができる。また、記録する番組がアナログ放送である場合、管理データ１１には、チューナ１４の選局状態、記録再生装置２０が備える時計機能、およびユーザが設定する情報などを利用する。
【００３９】
記録再生装置が、メモリープレーヤーである場合には、画像音声情報の画像音声データ１０は楽曲であり、管理データ１１は、楽曲のアーティスト名などを含んでいてもよい。また、記録再生装置がビデオカメラやデジタルカメラである場合には、管理データはＧＰＳ情報などの撮影位置に関するデータを含んでいてもよい。
【００４０】
記録再生部１２は、記録部１５および再生部１６を含み、記録部１５は、さらにＭＰＥＧエンコーダおよびトランスコーダを含む。記録再生部１２は、チューナ１４から受け取った画像データ１０および管理データ１１を含む画像音声情報を記録媒体９に記録する。このとき、画像音声データ１０は、ユーザの指定したデータ圧縮率（記録モード）でＭＰＥＧ方式によりエンコードあるいはトランスコードされる。また、記録媒体９に記録する画像音声情報に個々の管理番号が画像音声情報の管理データ１１の１つとして割り振られ、視聴状態データが未視聴であることを示すように設定して記録媒体９に記録される。画像音声情報の管理番号は、画像音声情報を識別あるいは特定するために用いられ、記録媒体９に含まれる複数の画像音声情報には互いに異なる番号がつけられる。また、記録媒体９にはその時点における最大管理番号が記録される。記録媒体９に記録された画像音声情報が削除されていない場合には、最大管理番号は、記録媒体９に記録されている画像音声情報の数を示し、以下で説明する検索において、記録媒体９に記録されている画像音声情報をすべて検索したかどうかの判断に用いられる。画像音声情報が放送番組である場合、最大管理番号は最大番組数である。記録媒体９に記録された後、その画像音声情報が記録媒体９において占有している容量も容量データとして記録され、管理データ１１として管理される。
【００４１】
記録媒体９に記録された画像音声情報は、ユーザの指令に基づいて、再生部１６を用いて再生される。再生部１６は、ＭＰＥＧデコーダを備え、記録媒体９から読み出したデータをデコードし、テレビなどの画像表示装置２１に出力する。このとき、再生された画像音声情報が視聴済みであることを記録するため、記録部１５を用いて、視聴状態データを視聴済みであることを示すように変更する。
【００４２】
次に、情報検索装置１を説明する。情報検索装置１は、記録媒体９に新たな放送番組を記録するのに十分な空き容量がなくなった場合、記録媒体９に記録された放送番組などの画像音声情報の管理データに基づいて、その新たな放送番組を記録するために削除あるいは圧縮する記録済みの画像音声情報の候補を記録媒体９から検索する。
【００４３】
図１に示すように、情報検索装置１は、管理データ保持部２と、空き容量取得部３と、検索条件設定部４と、必要容量入力部５と、検索処理部６と、表示部７と、制御部８とを備える。
【００４４】
管理データ保持部２は、記録媒体９に記録された複数の画像音声情報の管理データ１０を読み込んで、保持する。すべての種類の管理データを読み込んでもよいし、放送日データ、番組のタイトルデータ、番組種別データなど削除する画像音声情報を検索するのに用いるデータのみを保持してもよい。管理データ保持部２はたとえば、半導体集積回路などのメモリにより構成される。
【００４５】
空き容量取得部３は、管理データ保持部２に保持された管理データ１０から記録媒体９に記録された複数の画像音声情報の総容量を求め、記録媒体９の最大容量から総容量を引くことによって、記録媒体９に記録可能な空き容量を取得する。
【００４６】
検索条件設定部４は、削除または圧縮する画像音声情報を検索するのに用いる検索条件をユーザが指定できるように構成されている。必要容量入力部５は、ユーザが記録したい放送番組の放送時間および記録モードを入力できるように構成されており、これにより記録したい放送番組の必要容量が情報検索装置１に入力される。
【００４７】
検索処理部６は、記録媒体９に必要容量が確保することができるよう、空き容量、検索条件および画像音声情報の管理データに基づいて、記録媒体９に記録された複数の画像音声情報から削除または圧縮すべき画像音声情報候補あるいはその組み合わせを求める。検索結果である、削除または圧縮すべき画像音声情報の候補は、表示部７によって表示される。表示部７によって表示された画像音声情報の候補をユーザが選択し、選択した情報に基づいて、制御部８は、記録再生装置１２の記録媒体９に記録されている画像音声情報のうち、選択した画像音声情報を削除または圧縮する。
【００４８】
空き容量取得部３、検索条件入力部４、必要容量入力部６、表示部７および制御部８はソフトウエア等により実現される。
【００４９】
次に記録再生装置２０の動作および情報検索装置１による検索方法をより詳細に説明する。以下に説明する手順で情報検索装置１の各部を制御するようＣＰＵ１７に実行させるためのプログラムやファームウエアは、図示しないＥＥＰＲＯＭやＲＯＭ、ＲＡＭ、ハードディスク、磁気記録媒体などのコンピータ読み取りが可能な記録媒体に保存されている。
【００５０】
図２は、記録再生装置２０の動作を説明するフローチャートである。ユーザの操作により、番組の録画予約などの記録指令が入力されると（ステップＳ１）、情報検索装置１の管理データ保持部２は、記録媒体９に記録されている画像音声情報の管理データ１１を読み込み、空き容量取得部３は、管理データ保持部２に保持されている管理データ１１から記録媒体９の空き容量を求める（ステップＳ２）。記録指令の有無にかかわらず、記録媒体９に記録されている画像音声情報の最新の管理データ１１を常に保持するように管理データ保持部２が管理データ１１を読み込んでいてもよい。
【００５１】
ユーザが番組の録画予約などを行う際、予約時刻および記録モードなどが指定される。図３は、画像表示装置２１に表示される録画予約画面３１の一例を示している。ユーザが画像表示装置２１の入力手段やリモコンなどを用いて録画予約画面３１上で、放送日データ３１ａ、チャンネルデータ３１ｂ、開始時刻データ３１ｃ、終了時刻データ３１ｄ、連続番組データ３１ｅ、記録モードデータ３１ｆなどを入力する。必要容量入力部５は、録画予約画面３１上において入力されたデータのうち、開始時刻データ３１ｃおよび終了時刻データ３１ｄから求められる記録時間データと記録モード３１ｆとに基づいて、記録媒体９に予約された番組を記録するのに必要な容量を取得する（ステップＳ３）。
【００５２】
デジタル放送を利用しており、ＥＰＧが利用できる場合には、図３１に示す録画予約画面３１に換えて、ＥＰＧの画面から放送番組を選択することによって、上述した予約時刻を取得してもよい。また、図３では、放送日、開始時刻および終了時刻によって録画を行う予約時刻を指定しているが、放送日、開始時刻および番組の長さにより予約時刻を指定してもよい。
【００５３】
予約により番組を記録するのではなく、ユーザの記録指令により直ちに記録を行う場合には、録画予約画面３１に換えて、記録予定時間および記録モードのみの入力をユーザに促す画面を画像表示装置２１に表示して、記録予定時間および記録モードの情報を取得してもよい。予約による記録でない場合には、あらかじめ設定された時間（たとえば１時間）および記録モードを記録予定時間および記録モードとしてもよい。これらの場合も、入力された情報あるいはあらかじめ定められた情報に基づいて、必要容量入力部５は、データ記録媒体９に画像音声情報を記録するのに必要な容量を取得する（ステップＳ３）。
【００５４】
ＣＰＵ１７は、必要容量入力部５が取得した必要容量と空き容量取得部３が取得した空き容量とを比較して（ステップＳ４）、画像音声情報を記録するのに新たな空き容量を確保する必要があるかどうかを判断する。空き容量が必要容量と等しいかまたは大きい場合には、新たな空き容量を確保しなくてよいので、他の手順を実行することなく、そのまま記録を実行する（ステップ５において「ＮＯ」を選択）。空き容量が必要容量より小さい場合には、新たな空き容量を確保する必要がある（ステップ５において「ＹＥＳ」を選択）。このため、削除または圧縮すべき画像音声情報を検索するための条件を入力する。
【００５５】
図４は、削除または圧縮すべき画像音声情報を検索する条件を入力するために画像表示装置２１に表示される検索条件入力画面４１の一例を示している。ユーザは、画像表示装置２１の入力手段やリモコンなどを用い、検索条件入力画面４１上で、まず、処理選択データ４１ａの選択を行う。処理選択データ４１ａは、新たな空き容量を確保するために記録媒体９に記録されている画像音声情報を削除するのか圧縮するのかを示す。圧縮を選択した場合には、さらに、どの程度圧縮するのか圧縮の程度データ４１ｂを入力する。たとえば、既に記録されている画像音声情報のそれぞれの記録モードを１つ圧縮の程度が高いモードに変換するよう指定する。次に、番組の種別データ４１ｃ、視聴状態データ４１ｄおよび連続番組データ４１ｅを入力する。種別データ４１ｃは複数入力できるようにしてもよい。このようにして検索条件の入力が完了し、検索条件設定部４に検索条件が入力される（ステップＳ６）。
【００５６】
次に、検索処理部６において、入力された検索条件に基づいて、削除または圧縮画像音声情報の検索を行う（ステップＳ１０’）。図５は、検索処理部６における検索の手順を示すフローチャートである。検索処理部６は、まず、記録媒体９の全体が空いているとした場合における最大容量と新たな画像音声情報を記録するための必要容量とを比較する（ステップＳ１０）。最大容量よりも必要容量が大きい場合には、エラーであると判断して検索処理を終了する（ステップＳ１０において「ＮＯ」を選択）。この場合には、必要容量の入力が正しくない可能性があるので、図２におけるステップＳ３に戻り、図３に示す録画予約画面３１を再度表示して、ユーザに正しい予約を行うよう促してもよい。
【００５７】
一方、最大容量と必要容量とが等しい場合、または、最大容量よりも必要容量が小さい場合には、検索番組の総容量をゼロにセット（ステップＳ１１）し、番組の管理番号を示すＸおよび一時保存用の変数Ｔをゼロに初期化する（ステップＳ１２）。変数ＴにＸの値を記憶させた後、Ｔに１を加算した値をＸに格納する（ステップＳ１３）。
【００５８】
次に、Ｘが最大管理番号（最大番組数）より大きいかどうか判断する（ステップＳ１４）。最大管理番号より大きくない場合には、管理番号Ｘで特定される画像音声情報の管理データ１１を管理データ保持部２から読み出して、検索条件に一致するかどうかを判定する（ステップＳ１５）。管理番号Ｘの管理データ１１が検索条件として設定されている項目において、検索条件を満たさない場合には、他の画像音声情報を検索するために、変数ＴにＸの値を記憶させた後、Ｔに１を加算した値をＸに格納する（ステップＳ１３）。そして、同様の手順でつぎの管理番号Ｘの画像音声情報が検索条件を満たすかどうかを判断する。
【００５９】
管理番号Ｘの管理データ１１が検索条件として設定されている項目において、検索条件と一致する場合には、検索画像音声情報の総容量を前回までの総容量と設定し、前回までの総容量に管理番号Ｘの画像音声情報の容量を加え、検索画像音声情報の総容量に設定する（ステップＳ１６）。
【００６０】
ここで、検索条件における処理選択データ４１ａとして圧縮することを選択している場合には、管理番号Ｘの画像音声情報の容量データから取得した容量を管理番号Ｘの画像音声情報の容量とする。また、処理選択データ４１ａとして削除することを選択している場合には、管理番号Ｘの画像音声情報の容量データから取得した容量と、圧縮の程度データ４１ｂに基づいて管理番号Ｘの画像音声情報を圧縮した後の容量との容量差（圧縮により生じる空き容量）を管理番号Ｘの画像音声情報の容量に換えて用いる。
【００６１】
続いて、管理データ保持部２に管理番号Ｘの画像音声情報が検索条件を満たすことを記録し（ステップＳ１７）、検索画像音声情報の総容量が必要容量を超えたかどうかを判定する（ステップＳ１８）。検索画像音声情報の総容量が必要容量を超えていない場合には、さらに他の画像音声情報を検索するために、変数ＴにＸの値を記憶させた後、Ｔに１を加算した値をＸに格納する（ステップＳ１３）。そして、同様の手順で次の管理番号Ｘの画像音声情報が検索条件を満たすかどうかを判断する。
【００６２】
上記手順を繰り返し、画像音声情報を順に検索する。そして、検索画像音声情報の総容量が必要容量を超えた場合（ステップＳ１８）に検索処理部における検索を終了する。削除あるいは圧縮する画像音声情報の候補を多く挙げて、ユーザが画像音声情報のなかから削除あるいは圧縮する画像音声情報を選択することができるように、検索画像音声情報の総容量が必要容量の１．５倍あるいは２倍など必要容量のｎ倍（ｎは１以上の数）の容量を超えたときに検索を終了してもよい。
【００６３】
上記手順を繰り返している間において、検索画像音声情報の総容量が必要容量を超えていないにもかかわらず、画像音声情報の管理番号Ｘが最大管理番号（最大番組数）を超える場合（ステップＳ１４の「ＹＥＳ」の場合）、つまり、記録媒体９に記録された画像音声情報のすべてを検索したが、検索画像音声情報の総容量が必要容量を超えない場合、エラーであると判断して検索処理を終了する。この場合には、検索条件を変更して検索を行うために、図２に示す検索条件の入力を再度行うようする。
【００６４】
検索処理の終了後、図２に示すように、検索結果を画像表示装置２１に表示させる。図６は、画像表示装置２１に表示される検索候補一覧画面５１の一例を示している。図６に示すように管理データ保持部２から、削除あるいは圧縮すべき画像音声情報の候補として記録された画像音声情報の管理データ１１の少なくとも一部の情報６１ｃを読み出して表示する（ステップＳ７）。ユーザの判断を助けるため、それぞれの画像音声情報の画像６１ａを合わせて表示してもよい。
【００６５】
ユーザは画面５１を見ながら、表示された画像音声情報を削除あるいは圧縮するかどうか判断し、画像表示装置２１の入力手段やリモコンなどを用いて、選択データ６１ｂを入力する。検索候補一覧画面５１に必要容量６１ｄと、あらかじめ記録媒体９にある空き容量および選択した画像音声情報の組み合わせにより生じる空き容量の合計である予定空き容量６１ｅとを合わせて表示してもよい。
【００６６】
検索候補一覧画面５１上での入力により、ユーザが選択した結果を制御部８は取得する。制御部８は、選択された画像音声情報を記録媒体９から削除するか、記録媒体９上で圧縮して再記録するように記録再生部１２を制御する（ステップＳ８）。
【００６７】
管理データ保持部２は、画像音声情報の削除または圧縮により記録媒体９の状態が変化した場合、最新の管理データ１１ａを読み込む。そして、記録媒体９に必要容量が確保できているかどうかを判断する（ステップＳ９）。必要容量が確保できている場合には、処理を終了する。これにより、画像音声情報を記録する容量を記録媒体９に確保することができる。
【００６８】
一方、ユーザが検索候補一覧画面５１に示された画像音声情報候補をひとつも選択しなかったり、選択した画像音声情報の数が少ないなどの理由により、ユーザ記録媒体９に必要容量が確保できていない場合には、再び検索条件の入力画面を表示し、異なる条件をユーザが入力するよう促す（ステップ６）。そして、新たな候補を検索し（ステップ１０’）、他の画像音声情報の削除または圧縮を行うよう上述の手順を繰り返す。そして、必要容量が確保できている場合には、処理を終了する。
【００６９】
このように本実施形態によれば、記録済みの番組などで空き容量がほとんどない記録媒体に対して、新しく番組を記録したい場合、その番組を記録するのに必要な容量と削除あるいは圧縮したい画像音声情報の検索条件を設定することにより、記録媒体に記録されている多くの番組の中から、検索条件に一致し、必要な容量を確保する画像音声情報候補あるいは画像音声情報候補の組み合わせを表示する。ユーザが表示された画像音声情報候補のなかから画像音声情報を選択し、削除または圧縮することにより、容易に必要な容量を確保して、新しい番組を記録することが可能となる。したがって、簡便な操作により、空き容量が十分にない記録媒体に新たな画像音声情報を記録することができる。
【００７０】
検索にはＥＰＧなどから取得したデータや、録画予約の際に入力したデータを用いることが可能である。このため、ユーザが別途検索のために番組の重要度を示すデータ等を各番組に付与しなくとも検索が可能である。特に、ユーザにとっての記録した番組の重要度は主観的な基準であるため、時間の経過とともに変化する可能性がある。このため、番組の重要度に基づいて検索した場合、ユーザにとっての番組の重要度が変化しているため、検索結果として表示される削除番組候補が削除したくないものである可能性がある。これに対して、本実施形態によれば、客観的な情報を管理データとして記録し、記録された管理データを利用して検索を行うため、正確な検索を行うことができる。
【００７１】
また、画像音声情報を完全に削除するのではなく、圧縮することによって、空き容量を確保することも可能であるため、既に記録された画像音声情報を消去によって失うことがない。
【００７２】
さらに、削除あるいは圧縮する画像音声情報候補の組み合わせを表示することができるため、一度に削除する画像音声情報を選択、決定することができる。このため、繰り返し削除を行うような手間がかからない。このとき、必要容量を新しく記録する画像音声情報の容量よりも大きく設定すれば、候補として表示する画像音声情報を多くすることができるため、表示された複数の画像音声情報候補を比較しながら削除あるいは圧縮するものを選択することができるため、ユーザが容易に削除する画像音声情報を決定することができる。
【００７３】
【発明の効果】
本発明の情報検索装置によれば、記録媒体の空き容量が不足している場合に、ユーザが容易に削除すべき番組を判断することができるよう、空き容量を確保するために削除すべき番組候補を検索することができる。このため、簡便な操作により、空き容量が十分にない記録媒体に新たな画像音声情報を記録することができる。
【図面の簡単な説明】
【図１】本発明による記録再生装置の一実施形態を示すブロック図である。
【図２】図１に示す記録再生装置の動作を説明するフローチャートである。
【図３】録画予約画面の一例を示す模式図である。
【図４】削除または圧縮する番組を検索する条件を入力する画面の一例を示す模式図である。
【図５】検索の手順を示すフローチャートである。
【図６】検索結果を表示する画面の一例を示す模式図である。
【符号の説明】
１  情報検索装置
２  管理データ保持部
３  空き容量取得部
４  検索条件設定部
５  必要容量入力部
６  検索処理部
７  表示部
８  制御部
９  記録媒体
１０  画像音声データ
１１  管理データ
１２  記録再生部
１３  アンテナ
１４  チューナ
１５  記録部
１６  再生部
１７  ＣＰＵ
２０  記録再生措置
２１  表示装置
【図１】
2004328608.tif 000003
【図２】
2004328608.tif 000004
【図３】
2004328608.tif 000005
【図４】
2004328608.tif 000006
【図５】
2004328608.tif 000007
【図６】
2004328608.tif 000008